(57)【要約】  接着剤を使用して機械的に組み立てられた、段ボールの漏れ防止及び液密の梱包箱。  本発明において本質的なことは、積み重ね可能な構造的に強く、ねじり剛性があり、漏れ防止及び液密の梱包箱のコーナー面が折り曲げられ、短辺の垂直面の外面に接着されることである。
2020531375.tif 000002
【特許請求の範囲】
【請求項１】
段ボールを用い、漏れ防止及び液密梱包箱用のワンピースブランク（one-piece blank）であって、
ブランクは、ベース面（１）と、箱の長辺の内側垂直面（２）と、箱の短辺の内側垂直面（３）と、短辺のコーナー構造のコーナー面（７）と、長辺のコーナー面（６）と、それらの間の折線（１７）とを有し、面（２）、（３）、（６）及び（７）は、接着剤を使用して機械的に組み立てられた漏れ防止及び液密のコーナー構造を形成し、ねじり剛性と強固な構造を実現するための梱包箱用のブランクであり、
梱包箱用のブランクは、
短辺の垂直面（３）と漏れ防止及び液密の梱包箱のコーナー面（７）との間の折線（１３）は、ベース面（１）から見て、折線（１４）に対して垂直面（３）に向かって傾斜し、
短辺の外側垂直面（８）及びその両側の接着フラップ（４）と、
短辺の折線（２１，２２）及び短辺の折線（２１，２２）の間の二重折りビーム構造（５）並びに、長辺の折線（２３，２４）及び長辺の折線（２３，２４）の間の二重折りビーム構造（９）と、を含むことを特徴とするワンピースブランク。
【請求項２】
請求項１に記載された漏れ防止及び液密の梱包箱用のワンピースブランクであって、
ベース面（１）に近い短辺の端部（３）の内側の折線（１５）は、端部（３）の外側の折線（２１）よりも長さが長く、
内側の折線（１５）の終点（１８）と外側の折線（２１）の終点（１９）との間に傾斜した折線（１３）が形成されることを特徴とするワンピースブランク。
【請求項３】
請求項２に記載された漏れ防止及び液密梱包箱用のワンピースブランクであって、
内側の折線（１５）及び傾斜した折線（１３）の間の角度Ａは、９０°未満、最も好ましくは、８９°〜８５°の範囲であり、
長辺（２）と長辺のコーナー面（６）との間の角度Ｂは９０°であることを特徴とするワンピースブランク。
【請求項４】
請求項１に記載された漏れ防止及び液密梱包箱用のワンピースブランクであって、
ブランクは、長辺の外側垂直面（１１），（１２）を含み、
垂直面（１１）が長辺の上部を形成し、
垂直面（１２）は垂直面（１２）の底部を形成し、
それらの間に、折線（１６）を有することを特徴とするワンピースブランク。
【請求項５】
請求項１に記載された漏れ防止及び液密梱包箱用のワンピースブランクであって、
積み重ねクロー（stacking claws）（２８）とそのための受開口（２７）を備えており、開口に、ビーム構造（９）に形成された積み重ねクロー（２８）が係合し、
積み重ねクロー（２８）は、長辺（２８．２）と短辺（２８．３，２８．４）の両方から、必要に応じて折線の２番目の長辺（２８．１）から、切り欠けられて形成されており、
受開口（２７）は、長辺の下側垂直面（１２）及び接着フラップ（４）に形成され、積み重ねクロー（２８）に対応するキャビティがそれらに切り欠けられていることを特徴とするワンピースブランク。
【請求項６】
請求項１に記載された漏れ防止及び液密梱包箱用のワンピースブランクであって、
ブランクは、短辺の面（８）に形成された、フラップ（１０．１）を有するハンドル開口（１０）を含むことを特徴とするワンピースブランク。
【請求項７】
垂直面（２），（３）、コーナー面（６，７）及びコーナー面（６，７）間の折線（１７）によって液密及び漏れ防止のコーナー構造を備え、段ボールからダイカットされたワンピースブランクを、接着剤を用いて機械的に組み立てて、漏れ防止の液密梱包箱を製造する方法であって、
コーナー面（６）及び（７）は、それらの間の折線（１７）に沿って互いに折られ、短辺の内側垂直面（３）の外面に折られて接着によって取り付けられ、
コーナー面（７）と垂直面（３）との間の傾斜した折線（１３）により、長辺の内側垂直面（２）は、内側に傾斜するように折られ、箱の垂直面（２）の内側コーン構造（inward cone structure）を形成し、
短辺の二重折りビーム構造（５）は、折線（２１，２２）から短辺の外側垂直面（８）とともに折られ、コーナー面（６）と対向する短辺の垂直面（３）の外側に接着剤で接着され、
外側の垂直面（８）の両端にある接着フラップ（４）は、接着によって取り付けられる長辺の内側の垂直面（２）に向けて折られ、
長辺の二重折りビーム構造（９）は、折線（２３，２４）から長辺の外側垂直面（１１，１２）とともに梱包箱の外側に折られ、垂直面（１１）と（１２）は、接着フラップ（４）に接着されることを特徴とし、さまざまな層を一緒にして、構造的に強く、ねじり剛性があり、漏れ防止の液密梱包箱を形成する方法。
【請求項８】
請求項７に記載された、ねじり剛性があり、漏れ防止及び液密梱包箱を製造する方法であって、
長辺の垂直面（２）の内側に傾斜したコーナー構造は、ベース面（１）と長辺の垂直面（２）との間に有し、折線（１４）に対して傾斜された折線（１３）を形成することによってもたらされ、
ブランクのベース面（１）に近い側の短辺の端部（３）の内側の折線（１５）は、端部（３）の外側の折線（２１）よりも長くされたこと、を特徴とする液密梱包箱を製造する方法。
【請求項９】
請求項７又は８に記載された、ねじり剛性があり、漏れ防止及び液密梱包箱を製造する方法であって、
傾斜した折線（１３）は、長辺の垂直面（２）の上部を、垂直面（２）がコーナー面（６），（７）と一緒になるように梱包箱の内側部分に向かって傾斜するようにガイドし、接着フラップ（４）は、内側コーンとなることを特徴とする液密梱包箱を製造する方法。
【請求項１０】
請求項７に記載された、ねじり剛性があり、漏れ防止及び液密梱包箱を製造する方法であって、
剛性があり、構造的に強く、耐荷重性がある二重折りビーム構造（５），（９）は、梱包箱のすべての側面に形成され、
外側への二重の折線（２３，２４）は、長辺の垂直面（１１），（１２）に対して９０度の角度であるビーム構造（９）を形成することを特徴とする液密梱包箱を製造する方法。
【請求項１１】
請求項７に記載された、ねじり剛性があり、漏れ防止及び液密梱包箱を製造する方法であって、
積み重ねクロー（２８）とそのための受開口（２７）は、ビーム構造（９）、長辺の下側垂直面（１２）、接着フラップ（４）に形成され、
積み重ねクロー（２８）に対応するキャビティがそれらに切り欠けられたことを特徴とする液密梱包箱を製造する方法。
【請求項１２】
請求項７に記載された、ねじり剛性があり、漏れ防止及び液密梱包箱を製造する方法であって、
短辺の面（８）には、フラップ（１０．１）を有するハンドル開口（１０）が形成されたことを特徴とする液密梱包箱を製造する方法。
【請求項１３】
段ボールを用いており、垂直面（２），（３）、コーナー面（６，７）、コーナー面（６，７）間の折線（１７）によって、漏れ防止及び液密のコーナー構造を有し、接着剤を使って機械的に組み立てられ、別の梱包箱の上に積み重ね可能な構造である、ねじり剛性があり、漏れ防止及び液密梱包箱であって、
面が折り返され、短辺の内側垂直面（３）の外側面に接着される、折線（１７）に沿って折り曲げられるコーナー面（６，７）と、
箱の長辺の内側垂直面（２）の内側に形成されたコーン構造と、
外側垂直面（８）の両端に有し、長辺の内側垂直面（２）に向けて折り曲げて接着される接着フラップ（４）と、
短辺の折線（２１，２２）及び、その間の二重折りビーム構造（５）及び、長辺の折線（２３，２４）及び、その間の二重折りビーム構造を有し、頑丈で耐荷重性のあるビーム構造（５）及び（９）は、梱包箱の全ての側面に形成されたことを特徴とする液密梱包箱。
【請求項１４】
請求項１３に記載されたねじり剛性があり、漏れ防止及び液密梱包箱であって、
側面である垂直面（２）の上部に有する傾斜した折線（１３）は、垂直面（２）がコーナー面（６，７）とともに内側コーンとなるように、梱包箱の内側に向かって傾斜することを特徴とする液密梱包箱。
【請求項１５】
請求項１３に記載されたねじり剛性があり、漏れ防止及び液密梱包箱であって、
外側への二重折りの折線（２３，２４）によって形成されたビーム構造（９）は、長辺の垂直面（１１）及び（１２）に対して９０度の角度であることを特徴とする液密梱包箱。
【請求項１６】
請求項１３に記載されたねじり剛性があり、漏れ防止及び液密梱包箱であって、
積み重ねクロー（２８）とそのための受開口（２７）は、ビーム構造（９）、長辺の下側垂直面（１２）、接着フラップ（４）に形成され、
積み重ねクロー（２８）に対応するキャビティがそれらに切り欠けられて形成されていることを特徴とする液密梱包箱。
【請求項１７】
請求項１３に記載されたねじり剛性があり、漏れ防止及び液密梱包箱であって、
フラップ（１０．１）を有するハンドル開口部（１０）が、短辺の面（８）に形成されたことを特徴とする液密梱包箱。
【発明の詳細な説明】
【技術分野】
【０００１】
本発明の目的は、請求項１の前文に記載されているような漏れ防止及び液密梱包箱（leakproof and liquid-tight packaging box）のためのワンピースブランク（one-piece blank）である。本発明はまた、前記箱を製造するための請求項７に記載の方法並びに 請求項１３に記載の段ボールの漏れ防止及び液密梱包箱であって、該箱は構造的に強く、他のものの上（one on top of another）に積み重ね可能である段ボールに関する。
【背景技術】
【０００２】
さまざまなニーズに対応するために開発された、多数のさまざまなパッケージングがパッケージング分野で知られている。とりわけ、パッケージングの製造及び保管などのパッケージングを設計する場合は、梱包時の使用並びに梱包時の輸送及び保管について、多くの局面に対処する必要がある。液密及び漏れ防止が必要な梱包箱のコーナー構造は、ほとんどの場合問題のあるポイントである。さらに、多くの梱包箱は構造的に強く、重い重量に耐えることができなければならない。特に食品産業では、他のものの上に積み重ね可能な液密及び漏れ防止梱包箱が必要である。ポリスチレン又はプラスチックで膨張（expanded）され、他のものの上に積み重ね可能な漏れ防止梱包箱は、通常、魚や肉の保存や輸送に使用される。これらのタイプの梱包箱は、少なくとも２０ｋｇの負荷に耐える必要があり、通常、箱は１０の層で他のものの上に積み重ねられる。この結果として、１つの大きな問題は、梱包箱の構造的な剛性とその積み重ね強度である。プラスチックによる解決手段のもう１つの問題は、それらに必要な保管スペースと、使用後の廃棄である。多くのパッケージングの材料は再生可能ではなく、必ずしもリサイクル可能でもないため、環境の観点から、それらの使用は適していない。
【０００３】
また、段ボールから製造された液密パッケージングも当技術分野で知られている。当該技術分野で既知の１つの解決手段は、ＰＣＴ／ＦＩ２０１６／０５０６６２に提示されている。この解決手段は、接着剤なしで機械的又は手動で組み立てられる段ボール梱包箱及びそのブランクに関するものであり、内部からの液体及び漏れに対して堅固（tight）であり、また湿気及び外部からの液体に対して堅固である。別の解決手段が実用新案ＦＩ１０６５８に開示されている。それ自体、当該技術分野で知られているコーナーベローズ（corner bellows）を備えた解決手段が、前述の公報で使用されている。その構造は、端部の積み重ね面が漏れ防止コーナーの上端のカウンタースロット（counterslots）に係合（lock）するように、一体化された蓋フラップ付きの漏れ防止コーナーを有している。構造の１つの欠点は、圧力（又はストレス、stress）下での係合の不確実性である。積み重ね面間にあるフラップには十分な摩擦がなく、フラップには構造を接続するために必要な係合がない。これは、滑りやすいＰＥＴコーティングを施した段ボールに特に当てはまる。端部には多くのボード層があるため、コーナーは組み立てられたときに解け（loosen）ようとする。前述の構造により、それらは、コーナーのばねのように機能し、箱をコーナーから外側に押し出そうとする。積み重ね面間にあるフラップには適切な係合がないため、これによりコーナーが膨らみ、構造を開こうとする圧力にもなる。
【発明の概要】
【発明が解決しようとする課題】
【０００４】
液密コーナーとコーナーベローズを備えた段ボール箱の本質的な問題は、重い箱の重量があると、箱の端部が外側に膨らみ、その結果、積み重ねられた箱がその下の箱の内側を押そうとすることである。いくつかの液密コーナー解決手段では、長辺が端部の折目の間に段ボールのスリップ（slips）で係合されている。しかしながら、この解決手段では、長辺に対して十分に堅固な係合が提供されず、その結果として、ルーズ（loose）な構造は耐荷重能力を弱める。
【０００５】
段ボールで作られ、上から充填可能で、それらの堅さ（firmness）が維持されることに良好な漏れ防止解決手段は、液体を含む食品の保存と輸送にも使用されており、上部部品の個別の積み重ね面が形成されるが、これらの面は 多くの場合、幅が広く、梱包を妨げる。本発明の目的は、従来技術の欠点を回避することによって解決手段を達成することである。
【課題を解決するための手段】
【０００６】
本発明によるパッケージングの構造は、強く詰められた場合にも完全に液密のままである。さらに、多数の層が他のものの上に積み重ねられても、パッケージングはその形状を本質的に変化せずに保持する。
【０００７】
より正確には、本発明は、特許請求の範囲に提示されるものによって特徴付けられる。
【０００８】
以下において、本発明は、添付の図面を参照して実施形態を用いてより詳細に説明する。
【図面の簡単な説明】
【０００９】
【図１】図１は、本発明による梱包箱ブランクを示す図である。
【図２】図２は、本発明による部分的に組み立てられた梱包箱を示す図である。
【図３】図３は、本発明による組み立てられた梱包箱を示す図である。
【図４】図４は、梱包箱の組み立てられた端部を示す図である。
【図５】図５は、梱包箱のブランクの詳細を示す図である。
【発明を実施するための形態】
【００１０】
本発明は、機械的に接着可能な液密及び漏れ防止梱包箱であり、１枚の段ボールで組み立てられた梱包箱に関する。
【００１１】
本発明で使用する段ボールは、操作に応じた標準の２層又は３層の板である。例えば、グリース、湿気及びガスの通過を防ぐために、材料に特別な特性が必要な場合、段ボールのライナーボード（linerboard）は、プラスチックコーティングされているか、又は代わりに、プラスチックフィルムが紙の層間にラミネートされている。プラスチックは、梱包箱がその構造と材料の両方の点で漏れ防止及び液密であるように、バリア材料として機能する。段ボールで一般的に使用されるプラスチックは、例えば、 ポリエチレン、ポリエステル及びポリプロピレンである。
【００１２】
技術水準は、前述のＰＣＴ／ＦＩ２０１６／０５０６６２の明細書に記載されている。開示された解決手段は、主に軽い負荷を対象としているため、接着剤は、組み立てる上で全く必要ない。機械的に接着された構造により、本発明による解決手段は、従来技術による解決手段よりもかなり大きな負荷に耐える。技術的には、本発明には本質的な違いがある。 例えば、漏れ防止コーナー（leakproof corner）を実現するためのコーナー面は、梱包箱の短辺の外側にある。大きな接着フラップ（glueing flaps）が端部に形成され、その接着フラップは接着フェーズで長辺に折られる。このように、構造は強く、ねじり剛性がある。本発明では、二重折り（double-folding）により、従来よりも構造を強化する極めて強いビーム構造（beam structure）をすべての側面に形成する。解決手段の結果として、本発明では従来の積み重ね面は必要ではなく、代わりに、ビーム構造を形成する肩部（shoulders）が同じタスクを成し遂げる。従来の解決手段と比較して、それらは幅が狭く、梱包や開梱の妨げにならない。また、必要に応じて、本発明による解決手段に、必要に応じて積み重ねクロー（stacking claws）とそれらのための受開口（counter apertures）を追加できるため、梱包箱を他のものの上に積み重ねたときに所定の位置に留まることができる。さらに、本発明による液密及び漏れ防止梱包箱の端部の新しい構造は、いわゆる通常のハンドル（handle）の使用を可能にする。技術水準によると、取り扱いを容易にする対応する積み重ねクロー又はハンドルは、液密及び漏れ防止の梱包箱には形成できない。
【００１３】
図１及び２によると、本発明によるボックスブランク（box blank）は、ベース面１と、折面２、３、４、５、６、７、８、９、１１、１２と、を有する。より正確には、折面は、長辺の内側垂直面２、短辺の内側垂直面３、短辺の外側垂直面８及び短辺の接着フラップ４である。折線２１，２２から折られた短辺の二重折り肩部（double-foldable shoulders）は、堅くて曲がらないビーム構造５（rigid beam structure）を形成する。長辺のコーナー面６と短辺のコーナー面７により、折線１７から漏れ防止コーナー構造（leakproof corner structure）がもたらされる。折線２３、２４から折られる長辺の二重折り肩部は、堅くて曲がらないビーム構造９を形成する。長辺の外側垂直面１１及び１２は、垂直面１１が長辺の上部を形成し、垂直面１２が下部を形成するように折られ、それらの間に折線１６がある。
【００１４】
図１によると、これらの折面を使用して、接着剤を用いて形成された機械的に組み立てられた梱包箱は、１つのダイカットブランク（die-cut blank）から得られ、折面２，３，６，７を備えたボックスは、液密及び漏れ防止コーナー構造を形成する。図２及び図３によると、長辺のコーナー面６と短辺のコーナー面７は、折線１７から互いに対して折られて漏れ防止コーナー構造を実現する。本発明において本質的なことは、短辺のコーナー面７が折られて短辺の垂直面３の外面に取り付けられること、すなわち、梱包箱の外面に取り付けられることである。
【００１５】
さらに、本発明にとって重要なことは、短辺の二重折りビーム構造５が折線２１，２２から短辺の外側垂直面８と共に面３の外面（つまり、梱包箱の外面）に折られることである。より正確には、垂直面８が面３の外面に対して折られ、漏れ防止コーナーの面６に取り付けられる。二重折りビーム構造５は、長辺のコーナー面６と短辺のコーナー面７の組み合わされた材料の厚さによって少なくとも必要とされるスペースが上記の面に残ることを保証する。このようにして、コーナー面６，７は、段ボールのハニカム構造に圧縮破壊を引き起こすことなく、面３と８の間にしっかりと確定する（settle）。
【００１６】
接着フラップ４は、本発明の観点から非常に重要であり、上記のフラップは、接着によって取り付けられる長辺の面２の外面に対して折られる。このようにして、ボックスのコーナーのねじり剛性がすべての状況で保証される。この後、ビーム構造９を形成する長辺の二重折り肩部は、折線２３，２４から箱の外側に折られ、接着フラップ４は、内側垂直面２と外側垂直面１１、１２の間に残る。長辺の面１１及び１２を接着フラップ４に接着することにより、構造が真っ直ぐになる。面１１と１２の間の折線１６は接着を容易にし、長辺の直線度合いに作用し、追加の補強材として機能する。二重折りビーム構造９は、少なくとも接着フラップ４の材料の厚さによって必要とされるスペースが接着フラップ４のために残ることを保証する。このようにして、接着フラップ４は、段ボールのハニカム構造に圧縮破壊を引き起こすことなく、面２、１１及び１２の間にしっかりと確定する。二重折りビーム構造９のため、長辺の外面１１及び１２を接着フラップ４に接着することによる取り付けにより、非常に剛性のある長辺を保証する。二重折りが梱包箱の外側で折られる結果、堅くて曲がらないビーム構造９と５が箱のすべての側面に形成され、ビーム構造は、圧力下での側面の膨らみも防ぐ。図３及び４によれば、二重折りビーム構造９及び５の利点の１つは、壁２，３と、８，１１，１２との間に形成されるエアギャップ２６であり、このギャップは箱の断熱を改善し、バッファーとして機能する 。ビーム構造９，５の結果として、箱を他のものの上に安全に積み重ねることができる。
【００１７】
図３によれば、折線２１、２２、２３、２４の二重折りによってもたらされる肩部は、ビーム構造５及び９を形成し、完成した梱包箱では非常に強い。このように、技術水準によれば、頂部部品の別個の積み重ね面は不要であり、適切な幅であれば、箱への充填も容易になる。換言すると、箱の外側で折られる二重折２１、２２、２３、２４の結果として、堅くて曲がらないビーム構造９及び５が箱のすべての側部で形成され、ビーム構造は、圧力下での側面の膨らみも防ぐ。二重折りビーム９の利点の１つは、壁２，３と，８，１１，１２との間に形成されるエアギャップであり、このギャップは箱の断熱を改善する。ビームの結果として、箱を他のものの上に安全に積み重ねることができる。
【００１８】
折線１３の結果として、長辺２と漏れ防止コーナー構造６、７及び接着フラップ４は、内向きコーン（inward cones）である。換言すると、長辺２の内側上部は、梱包箱の内部部分に向かって傾斜している。円錐構造（conical structure）は、ベース面１と長辺２との間に折線１３を折線１４に対して傾斜するように形成することによってもたらされる。より具体的には、折線１３が、ベース面１から見て長辺の直線の折線１４に対して、短辺の垂直面３に向かって傾斜するように傾斜している。このようにして、ブランクのベース面１に近い短辺の端部３の内側折線１５は、端部３の外側折線２１よりも長さが長い。同時に、折線２１は、ベース面１に対して、二重折りの折線２１，２２の内側折線２１である。このようにして、ブランクのベース面１に対して傾斜した折線１３が、それに近い内側折線１５の終点１８と端部３の外側折線２１の終点１９との間に形成される。内側折線１５と傾斜折線１３との間の角度Ａは、９０°未満、最も好ましくは８９°〜８５°の範囲である。
【００１９】
図１によれば、長辺２と長辺のコーナー面６との間の角度Ｂは９０°である。図４によれば、梱包箱の端部から、完成した梱包箱の外側から見て、長辺１１，１２は終点１８と２５で９０度の直角になっている。外側への二重折りの折線２３，２４は、側面１１及び１２に対して９０度の角度であるビーム構造９を形成する。この角度が直角である結果、多数の梱包箱が並んでいると、積み重ね時に隙間ができなくなる。
【００２０】
しかしながら、特に重要なのは、梱包箱の折線１３によって形成される内側のコーン構造（inner cone structure）である。図４の梱包箱の端部から見ると、終点１８及び１９により、完成した梱包箱は、幅方向の内部寸法に関して円錐状に内向きに傾斜する。図１によれば、折線１３が折線１４に対して傾斜しているとき、長辺の内側垂直面２は、角度Ａと角度Bとの間の角度差（１〜５°の範囲）まで、梱包箱を内側に形成するときに傾斜する。
【００２１】
実施形態の１つでは、角度Ａは８６．３°であり、このような実施形態では、完成した梱包箱の内部のコーン構造（interior cone structure）によってもたらされる傾斜角度は３．７°であり、通常、角度は１〜５°の範囲である。このようにして、内側のコーン構造は、構造的なバッファーとして機能し、梱包箱の上部にエアギャップ２６を残して、梱包箱を堅くする。このようにして、梱包箱の側面が外側に膨らむのを防ぐことが重要であり、その場合、箱を他のものの上に積み重ねても安全である。
【００２２】
図５によれば、上に提示されたものに加えて、積み重ねクロー２８及び上記クローのための受開口２７が、本発明による漏れ防止及び液密梱包箱に形成され、その開口内に積み重ねクロー２８が係合する。より正確には、積み重ねクロー２８は、それらが一方の長辺２８．２から及び両方の短辺２８．３、２８．４から切断されるように、ビーム構造９に形成され、また、必要に応じて、折線の２番目の長辺２８．１から上向きに折られ、垂直留め具（vertical fastener）を形成する。受開口２７は、長辺の下側垂直面１２及び接着フラップ４に、積み重ねクロー２８に対応するキャビティが切り欠かれるように形成される。このようにして、完全に組み立てられた漏れ防止及び液密性の梱包箱における積み重ねクロー２８の機能は、箱が他のものの上に重なって所定の位置に留まることを確実にすることである。下の箱の上面にある積み重ねクロー２８は、その上の箱の底部の受開口２７の穴に配置される。本発明による構造において新しいことは、積み重ねクロー２８が構造に追加されても、箱の内部は完全に漏れないままであることである。
【００２３】
梱包箱の端部のフラップ１０．１であるハンドル開口部１０もまた、本発明に不可欠である。ハンドル開口部１０は、端部の面８から形成され、フラップ１０．１は、梱包箱に対して折られ、二重折線２１，２２及びビーム構造５は箱を持ち上げるときの指のための空間を与える。従来は、これらのタイプのハンドル開口部を液密及び漏れ防止の梱包箱に形成することは不可能であった。ハンドルの開口部は、重い梱包箱を安全に取り扱い、積み重ねることを可能にするために非常に重要である。その場合、本発明による解決手段は、最新技術による解決手段では生じない多数の新規で独創的な特徴を含む。
【００２４】
本発明は、上記に提示された実施形態に限定されず、以下に提示された請求項の範囲内で変更され得ることは、当業者には明らかである。
【図１】
2020531375.tif 000003
【図２】
2020531375.tif 000004
【図３】
2020531375.tif 000005
【図４】
2020531375.tif 000006
【図５】
2020531375.tif 000007
【国際調査報告】
2020531375.tif 000008
2020531375.tif 000009
2020531375.tif 000010
2020531375.tif 000011